(57)【要約】  本発明による装置及び方法は、ブロードキャストサービスを提供する移動通信システムにおけるブロードキャストパラメータメッセージを提供する。提供されるブロードキャストサービスが時分割多重化される場合、メッセージ生成部は、時分割多重化を示すフィールドを設定し、各サブバッファにブロードキャストサービスの位置を示すフィールドを設定し、１つのサブバッファが一つのサービスを含むか否かを示すフィールドとフィールドの有効性を示すフィールドとを設定し、１つのサブバッファに格納されている実際のブロードキャストサービスデータのみを示すフィールドを設定することによって、ブロードキャストパラメータメッセージを生成する。送信器は、ブロードキャストパラメータメッセージを変調し、変調されたブロードキャストパラメータメッセージをブロードキャストサービスを受信する端末へ提供する。
2008529441.tif 000002
【特許請求の範囲】
【請求項１】
時分割多重化スーパー周期は、複数の時分割多重化期間を有し、各時分割多重化期間は、複数のタイムスロットの列を有し、各タイムスロットは、複数のブロードキャストサービスのうちの一つに割り当てられ、前記複数のブロードキャストサービスが提供されるか否かを示す複数の時分割多重化マスクを有し、前記時分割多重化マスクの数は、前記時分割多重化期間の数と同一であり、前記複数のブロードキャストサービスが複数のバッファ内にインターリービングされた後に格納され、同一のブロードキャストが提供されるか否かを示す複数のビットの有効性を示す時分割多重化スーパー周期マスクを有し、前記時分割多重化スーパー周期マスクの数は、前記複数の時分割多重化期間の数と同一であり、前記複数のバッファの各々は、複数のデータ領域とパリティ領域とを含み、前記複数のバッファの各々は、同一のブロードキャストサービスのデータを有する複数のブロードキャストサービスを提供する方法であって、
前記複数のバッファのうちの少なくとも一つのバッファが他のブロードキャストサービスのデータを構成する場合、前記他のブロードキャストサービスのデータの位置を示すマスクを生成するステップと、
前記生成されたマスクの存在を示す情報を生成するステップと
を具備することを特徴とする方法。
【請求項２】
前記他のブロードキャストサービスのデータの位置を示すマスクの値は、前記パリティ領域を除いたデータ領域のみに対して設定されることを特徴とする請求項１記載の方法。
【請求項３】
受信されたフレームに対するサブバッファ内の位置は、下記式（１）のように計算されることを特徴とする請求項１記載の方法。
【数１】
2008529441.tif 000013
ここで、ＣＤＭＡ２０００システム時間が０である位置で２０＊ＦＳＣＨ_ＯＵＴＥＲ_ＣＯＤＥ_ＯＦＦＳＥＴｓ［ｉ］ｍｓ後の時間でのｉの値は、０である。
【請求項４】
ブロードキャストサービスを提供する移動通信システムにおけるブロードキャストパラメータメッセージを提供する方法であって、
前記提供されるブロードキャストサービスが一つのサブバッファ内で時分割多重化される場合、前記時分割多重化を示すフィールドを設定し、前記サブバッファに前記ブロードキャストサービスの位置を示すフィールドを設定し、前記サブバッファが一つのサービスを構成するか否かを示すフィールドと前記フィールドの有効性を示すフィールドとを設定し、前記サブバッファに格納されている実際のブロードキャストサービスデータのみを示すフィールドを設定することによって、前記ブロードキャストパラメータメッセージを生成するステップと、
前記ブロードキャストパラメータメッセージを変調するステップと、
前記変調されたブロードキャストパラメータメッセージを前記ブロードキャストサービスを受信する端末へ提供するステップと
を具備することを特徴とする方法。
【請求項５】
受信されたフレームに対するサブバッファ内の位置は、下記式（２）のように計算されることを特徴とする請求項４記載の方法。
【数２】
2008529441.tif 000014
ここで、ＣＤＭＡ２０００システム時間が０である位置で２０＊ＦＳＣＨ_ＯＵＴＥＲ_ＣＯＤＥ_ＯＦＦＳＥＴｓ［ｉ］ｍｓ後の時間でのｉの値は、０である。
【請求項６】
ブロードキャストサービスを提供する移動通信システムにおけるブロードキャストパラメータメッセージを提供する装置であって、
前記提供されるブロードキャストサービスが時分割多重化される場合、前記時分割多重化を示すフィールドを設定し、少なくとも１つのサブバッファに前記ブロードキャストサービスの位置を示すフィールドを設定し、前記少なくとも１つのサブバッファが一つのサービスを構成するか否かを示すフィールドと前記フィールドの有効性を示すフィールドとを設定し、前記少なくとも１つのサブバッファに格納されている実際のブロードキャストサービスデータのみを示すフィールドを設定することによって、前記ブロードキャストパラメータメッセージを生成するメッセージ生成部と、
前記ブロードキャストパラメータメッセージを変調し、前記変調されたブロードキャストパラメータメッセージを前記ブロードキャストサービスを受信する端末へ提供する送信器と
を具備することを特徴とする装置。
【請求項７】
移動通信システムで提供されるブロードキャストサービスを受信する方法であって、
前記提供されるブロードキャストサービスが一つのサブバッファ内で時分割多重化されるか否かを示すフィールドと、前記サブバッファで前記ブロードキャストサービスの位置を示すフィールドと、前記サブバッファが一つのサービスを構成するか否かを示すフィールドと、前記フィールドの有効性を示すフィールドと、前記サブバッファに格納されている実際のブロードキャストサービスデータのみを示すフィールドとを受信することによって、所望のブロードキャストサービスの位置を決定するステップと、
前記決定された位置でブロードキャストサービスを受信するステップと
を具備することを特徴とする方法。
【請求項８】
受信されたフレームに対するサブバッファ内の位置は、下記式（３）のように計算されることを特徴とする請求項１記載の方法。
【数３】
2008529441.tif 000015
ここで、ＣＤＭＡ２０００システム時間が０である位置で２０＊ＦＳＣＨ_ＯＵＴＥＲ_ＣＯＤＥ_ＯＦＦＳＥＴｓ［ｉ］ｍｓ後の時間でのｉの値は、０である。
【請求項９】
移動通信システムで提供されるブロードキャストサービスを受信する装置であって、
前記ブロードキャストサービス及び所望のブロードキャストサービスの位置を示すパラメータを受信する無線部と、
前記ブロードキャストサービス及び前記パラメータを復調する復調部と、
前記提供されるブロードキャストサービスが一つのサブバッファ内で時分割多重化されるか否かを示すフィールドと、前記サブバッファで前記ブロードキャストサービスの位置を示すフィールドと、前記サブバッファが一つのサービスを構成するか否かを示すフィールドと、前記フィールドの有効性を示すフィールドと、前記サブバッファに格納されている実際のブロードキャストサービスデータのみを示すフィールドとを構成する前記パラメータを用いて受信されるブロードキャストサービスを選択する制御部と
を具備することを特徴とする装置。
【発明の詳細な説明】
【技術分野】
【０００１】
本発明は、移動通信システムにおけるブロードキャストサービスを受信するための装置及び方法に関し、特に、符号分割多元接続（Code Division Multiple Access：ＣＤＭＡ）移動通信システムにおけるリードソロモン符号に基づくブロードキャストサービスを受信するための装置及び方法に関する。
【背景技術】
【０００２】
一般に、移動通信システムは、音声サービスを提供する形態からデータ通信が提供することができる形態に発展してきた。このような移動通信システムは、各種データサービスと共に、ブロードキャストサービスが提供することができるシステムに発展している。このようなブロードキャストサービスを提供するシステムは、３ＧＰＰ２（3rd Generation Partnership Project 2）で多様な標準化作業を行っている。ブロードキャストサービスを提供するために３ＧＰＰ２が提案した標準のうちのＣＤＭＡ２０００ １ｘ Ｒｅｖ．Ｄ標準で定義されたブロードキャストサービスを“ブロードキャストマルチキャストサービス（Broadcast Multicast Service：ＢＣＭＣＳ）”と呼ぶ。３ＧＰＰ２は、上記ブロードキャストサービスを提供するために、ＣＤＭＡ２０００ １ｘ Ｒｅｖ．Ｄ標準の他にも、他の標準を樹立している。
【０００３】
以下、ＣＤＭＡ２０００ １ｘ Ｒｅｖ．Ｄ標準で定義されたブロードキャストサービスについて説明する。下記の説明において、ＣＤＭＡ２０００ １ｘ Ｒｅｖ．Ｄ標準で定義されたＢＣＭＣＳサービスを“データサービス（data service）”と呼ぶ。
【０００４】
上記ブロードキャストサービスは、ブロックインターリービング（Block Interleaving）方法を使用し、多様なブロードキャストサービスのためのブロックインターリービングされたデータ（Block Interleaved data）は、時分割多重化（Time Domain Multiplex：ＴＤＭ）方式に基づいて、１本のチャンネルを介して転送される。このようなブロードキャストサービスは、内符号（inner code）の他にも、外符号（outer code）としてリードソロモン（Reed-Solomon：ＲＳ）符号を使用する。上記ブロードキャストサービスがＴＤＭ方式を使用して転送される場合、受信側は、最小のフレームのみを選択的に受信することによって、受信効率を向上させることができる。
【０００５】
しかしながら、ＴＤＭ方式は、外符号が適用されない場合に上述したような長所を有する。すなわち、現在の標準に提案されているように、ＲＦ符号を外符号として使用する場合には、受信側は、好ましくないサービスデータも受信しなければならない。添付の図面を参照して、現在のブロードキャストサービス方式について具体的に説明する。
【０００６】
図１は、ＣＤＭＡ２０００ １ｘ Ｒｅｖ．Ｄ標準に従って、ＴＤＭ方式でブロードキャストサービスを提供する方法を説明するためのタイミング図である。
【０００７】
図１において、Ａ、Ｂ、Ｃ、及びＤは、ブロードキャストサービスの種類を示す。図１に示すように、基地局は、提供されるブロードキャストサービスを時分割多重化して端末へ転送する。このように時分割多重化されたブロードキャストサービスは、時分割多重周期（ＴＤＭ_ＰＥＲＩＯＤ）１００を有する。ＴＤＭ周期１００は、複数のＴＤＭスロットを含む。所定数のＴＤＭ周期は、ＴＤＭスーパー周期(ＴＤＭ_ＳＵＰＥＲ_ＰＥＲＩＯＤ)を構成する。
【０００８】
上記ブロードキャストサービスを提供する方法について説明する。特定のブロードキャストサービスを受信することを希望する場合、ユーザ端末は、特定のチャンネルを介して転送された時分割多重化されたブロードキャストサービスの種類を識別することができる。上記ブロードキャストサービスの種類を識別した後、ユーザが特定のブロードキャストサービスを視聴することを希望する場合、ユーザ端末は、基地局が転送した、図１に示すような時分割多重化されたブロードキャストサービス情報を受信する。上記時分割多重化されたブロードキャストサービスデータの受信に使用される情報は、下記＜表１＞に示し、＜表２＞及び＜表３＞は、＜表１＞に示すような情報を説明するために提示される。
【０００９】
まず、下記＜表１＞は、ＣＤＭＡ２０００ １ｘ Ｒｅｖ．Ｄ標準で定義された時分割多重化されたＢＣＭＣＳサービスを転送するのに使用されるブロードキャストサービスパラメータメッセージ（Broadcast Service Parameter Message：ＢＳＰＭ）のフォーマットを示す。下記＜表２＞は、下記＜表１＞に示すような情報が転送される場合、ＴＤＭスロット長パラメータとＴＤＭ長パラメータとのマッチング関係を示す。下記＜表３＞は、ＴＤＭスーパー周期にマッチングされるＴＤＭスロット長を示す。
【００１０】
【表１】
2008529441.tif 000003
【００１１】
上記＜表１＞において、ＴＤＭ_ＵＳＥＤ_ＩＮＤは、１ビットの値を有し、該当するブロードキャストサービスが時分割多重化されて転送されるか否かを示す。上記ブロードキャストサービスデータが時分割多重化されて転送される場合には、その次のフィールド値が付加される。上記 ＜表１＞に示す他のフィールドのビット数が‘０’である場合、ＴＤＭが使用されないことを意味する。また、上記＜表１＞において、ＴＤＭ_ＳＬＯＴ_ＬＥＮＧＴＨ１１０は、ＴＤＭが使用される場合に２ビットの値を有し、図１に示すような１つのＴＤＭ周期（ＴＤＭ_ＰＥＲＩＯＤ）１００に含まれているＴＤＭスロット長を示す。上記 ＜表１＞のＴＤＭ_ＰＥＲＩＯＤは、ＴＤＭ周期に含まれているスロットの個数を示し、ＴＤＭが使用される場合に２ビットの値を有する。また、時分割多重マスク（ＴＤＭ_ＭＡＳＫ）は、４ビット、８ビット、または１６ビットの値を有し、ＴＤＭ周期（ＴＤＭ_ＰＥＲＩＯＤ）１００で、ユーザが要求したブロードキャストサービスがどんなスロットに含まれているかを示す。図１において、参照符号１２０は、ＴＤＭ_ＭＡＳＫ値が４ビットで設定される場合を示す。最後に、ＴＤＭ_ＳＵＰＥＲ_ＰＥＲＩＯＤ_ＭＡＳＫは、スーパーフレームが使用されるか否かに基づいて、０ビットまたは４ビットの値を有する。上記スーパーフレーム周期を使用する場合、スーパーフレーム周期マスク値は、４ビットの値に設定され、これは、図１の参照符号１３０のように示すことができる。
【００１２】
【表２】
2008529441.tif 000004
【００１３】
上記＜表２＞は、ＴＤＭ周期値にマッチングされるＴＤＭスロット長の値を示す。上記ＴＤＭスロット長の値の中で、‘Ｒｅｓｅｒｖｅｄ’は、使用されない値を意味する。
【００１４】
【表３】
2008529441.tif 000005
【００１５】
上記＜表３＞は、１回のＴＤＭスーパー周期において、ＴＤＭ周期に含まれているスロットの個数とスロット長に従って転送されるフレームの個数とのマッチング関係を示す。上記＜表３＞から分かるように、ＴＤＭ周期１００のスロットの個数及び１つのスロット長に従って、１回のＴＤＭスーパー周期内で、最小１６個のフレームから最大２５６個のフレームまで転送可能である。
【００１６】
上記＜表１＞の情報を受信すると、ユーザー端末は、該当するフレームのデータを受信することができる。これについては、図１を参照して詳細に説明する。特定のユーザーがブロードキャストサービスＡの受信を希望する場合、参照符号１２１で示される値は、上記＜表１＞のＴＤＭ_ＭＡＳＫ値として転送される。すなわち、参照符号１２１で示されるＴＤＭ_ＭＡＳＫ値‘１０１０’は、ブロードキャストサービスＡを聴取することを希望する端末へ転送されるＴＤＭ_ＭＡＳＫ値として転送される。同様に、参照符号１２２で示されるＴＤＭ_ＭＡＳＫ値‘０１００’は、ブロードキャストサービスＢを聴取することを希望する端末へ転送されるＴＤＭ_ＭＡＳＫ値として転送され、参照符号１２３で示されるＴＤＭ_ＭＡＳＫ値‘０００１’は、ブロードキャストサービスＣを聴取することを希望する端末へ転送されるＴＤＭ_ＭＡＳＫ値として転送され、参照符号１２４で示されるＴＤＭ_ＭＡＳＫ値‘１０１０’は、ブロードキャストサービスＤを聴取することを希望する端末へ転送されるＴＤＭ_ＭＡＳＫ値として転送される。
【００１７】
この場合、ＴＤＭ_ＭＡＳＫのみでは、ブロードキャストサービスＡとブロードキャストサービスＤとを識別することができない。ブロードキャストサービスＡとブロードキャストサービスＤとは、ＴＤＭ_ＳＵＰＥＲ_ＰＥＲＩＯＤ_ＭＡＳＫ値によって識別される。すなわち、図１の参照符号１３０で示されるように、ブロードキャストサービスＡ、Ｂ、Ｃ、及びＤに対してＴＤＭ_ＳＵＰＥＲ_ＰＥＲＩＯＤ_ＭＡＳＫ値が設定され、ＴＤＭ_ＳＵＰＥＲ_ＰＥＲＩＯＤ_ＭＡＳＫ値は、参照符号１３１、１３２、１３３、及び１３４で示されるように、どんなＴＤＭ周期で該当するブロードキャストサービスが転送されるかを示す。
【００１８】
一方、ＣＤＭＡ２０００ １ｘ Ｒｅｖ．Ｄ標準には、ブロードキャストサービスのためにＲＳ方式の外符号を使用すると定められている。このようなＲＳ方式の外符号は、ＢＣＭＣＳ物理レイヤー標準に規定されているように、６４フレームの周期を有し、６４個のフレームは、４個のサブバッファを構成する。図２を参照して、ＲＳ方式の外符号を使用するブロードキャストサービス方式について詳細に説明する。
【００１９】
図２は、ＣＤＭＡ２０００ １ｘ Ｒｅｖ．Ｄ標準に従って、外符号でブロードキャストサービスデータのＲＳ符号化を遂行する方法を説明するための図である。
【００２０】
図２は、標準に規定されているサブバッファ０ ２１０、サブバッファ１ ２２０、サブバッファ２ ２３０、及びサブバッファ３ ２４０を含む４個のサブバッファを示す。上記ブロードキャストサービスの物理レイヤー標準に規定されているように、６４個のフレームが１個のフレームを構成するので、４個のサブバッファ２１０、２２０、２３０、及び２４０は、総６４個のフレームを格納することができる構成を有する。従って、サブバッファ２１０、２２０、２３０、及び２４０の各々は、１６個のフレームを格納することができるように構成される。しかしながら、実際に、サブバッファ２１０、２２０、２３０、及び２４０の各々に格納されているフレームの個数は、あらかじめ決定されたｋ（１６より小さい整数）個となる。このように、実際に１６個のフレームでないｋ個のフレームが格納される理由は、ＲＳ符号化を遂行するためである。上記ブロードキャストサービスが提供される場合には、ｋの集合は、１１、１２、１３、及び１４と定義される。従って、図２のサブバッファ２１０、２２０、２３０、及び２４０の各々には、最初ｋ個のフレームが格納され、残りの領域は、空き（empty）状態である。上記フレームが格納されていない領域には、ＲＳ符号化が行われたフレームであるパリティフレームが格納される。このようにして、サブバッファ２１０、２２０、２３０、及び２４０の各々は、１６個のフレームで満たされる。図２において、このような過程は、ＲＳ符号化（Encoding）過程で示される。すなわち、図２の参照符号２１１、２２１、２３１、及び２４１は、ＲＳ符号化がなされた後のバッファ状態を示す。
【００２１】
このように、ＲＳ符号化がなされたフレームを含むサブバッファ２１１、２２１、２３１、及び２４１は、ブロックインターリービングを遂行するために、上記ブロードキャストデータを順次に出力する。上記ブロードキャストデータをブロックインターリービングしてフレームを出力する過程について説明する。
【００２２】
第１のサブバッファ２１１から出力される第１のフレームが転送された後に、第２のサブバッファ２２１から第１のフレームが転送され、第３のサブバッファ２３１の第１のフレームが転送される。最後に、第４のサブバッファ２４１の第１のフレームが転送された後、第１のサブバッファ２１１の第２のフレームが転送される。
【００２３】
図２の右側に示すバッファ２１２、２２２、２３２、及び２４２内のフレームは、サブバッファ２１１、２２１、２３１、及び２４１に格納されているブロードキャストフレームの転送順序で、“０”乃至“６３”の固有の番号を割り当てられる。すなわち、第１のサブバッファ２１１に格納されているフレームに割り当てられる転送順序は、参照符号２１２で示され、第２のサブバッファ２２１に割り当てられる転送順序は、参照符号２２２で示され、第３のサブバッファ２３１に割り当てられる転送順序は、参照符号２３２で示され、第４のサブバッファ２４１に割り当てられる転送順序は、参照符号２４２で示される。第１のサブバッファ２１１について、第１のフレームは、一番目に転送され、第２のフレームは、５番目に転送され、第３のフレームは、９番目に転送される。他のサブバッファ２２１、２３１、及び２４１に格納されているフレームも同一な方式にて転送される。
【００２４】
図３を参照して、ＴＤＭスーパー周期及びＴＤＭ周期でフレームを転送する方法について説明する。
【００２５】
図３は、６つのブロードキャストサービスデータが時分割多重化及びＲＳ符号化方式により転送される場合のブロードキャストサービスデータ転送のタイミング図である。図３を参照すると、ＴＤＭスーパー周期３００は、４つのＴＤＭ周期３１０、３２０、３３０、及び３４０を含み、ＴＤＭ周期３１０、３２０、３３０、及び３４０の各々は、互いに異なるブロードキャストサービスに対するブロードキャストサービスフレームＡ、Ｂ、Ｃ、Ｄ、Ｅ、及びＦを転送する。
【００２６】
図３に示す方式で転送されたフレームを受信するにあたって、受信側である端末は、サブバッファ別にデータを受信し、自身のブロードキャストサービスが含まれたサブバッファに含まれている他のブロードキャストフレームまですべて受信しなければ、上記受信されたデータの復号が不可能である。このような理由は、図２を参照して説明したように、外符号としてＲＳ符号を使用するためである。
【００２７】
これについては、図４を参照して説明する。図４は、図２を参照して説明した方法でブロードキャストサービスを提供する場合、各サブバッファに転送データを格納する方法を示す図である。
【００２８】
図４を参照して、第１乃至第４のサブバッファ４１０、４２０、４３０、及び４４０の各々に転送データが格納される。図４は、図３のような方法によりデータを転送する方法を示す。すなわち、３つのブロードキャストサービスＡ、Ｅ、及びＦに対するフレームは、第１のサブバッファ４１０に格納され、３つのブロードキャストサービスＡ、Ｂ、及びＦに対するフレームは、第２のサブバッファ４２０に格納され、２つのブロードキャストサービスＣ及びＦに対するフレームは、第３のサブバッファ４３０に格納され、２つのブロードキャストサービスＤ及びＦに対するフレームは、第４のサブバッファ４４０に格納される。また、各サブバッファ４１０、４２０、４３０、及び４４０内の最後の幾つかのフレームは、ＲＳ符号化に対するパリティフレームとなる。例えば、ｋ＝１４の場合、サブバッファごとに２つのパリティフレームを転送する。従って、図４の第１のサブバッファ４１０内の最後の２つのブロードキャストサービスＡ及びＥに対するデータは、実際に、ブロードキャストサービスＡ及びＥではないブロードキャストサービスＡ、Ｅ、及びＦによって生成されたパリティフレームとなる。これは、他のバッファ４２０、４３０、及び４４０でも同一に適用される。
【００２９】
従って、特定のブロードキャストサービスの受信を希望する端末は、上述したような方式で転送されるフレームのため、ＴＤＭの長所を有することができない。その理由は、自身が受信することを希望するブロードキャストサービスが含まれているサブバッファ内のすべてのデータを受信しなければ、ＲＳ復号化が遂行することができないためである。また、ＲＳ方式によって符号化されたフレームは、図２を参照して説明したように、各バッファに対して１つずつ順次に転送される。すなわち、ＲＳ方式によって符号化されたフレームは、ブロックインターリービングされた後に転送される。従って、実際に転送されたフレームがどんなバッファに含まれているかを正確に判断することができない。このような問題の発生は、ＣＤＭＡ２０００ １ｘ Ｒｅｖ．Ｄ標準化作業を遂行する間に、上記ブロードキャストサービスについてまったく考慮しなかったためである。
【発明の開示】
【発明が解決しようとする課題】
【００３０】
上記背景に鑑みて、本発明の目的は、ＲＳ方式で符号化されて転送されるブロードキャストサービスを受信する際に所望のデータを識別可能にする装置及び方法を提供することにある。
【００３１】
本発明の他の目的は、ＴＤＭ方式を使用し、ＲＳ符号化方式を外符号化方式として使用するブロードキャストサービスを受信する際に、必要とされるデータのみを受信するための情報を提供可能にする装置及び方法を提供することにある。
【００３２】
本発明のさらなる目的は、最小数のブロードキャストパラメータメッセージを増加させることによって、ＴＤＭチャンネルの数を増加させる方法を提供することにある。
【課題を解決するための手段】
【００３３】
上記のような目的を達成するために、本発明の第１の特徴によると、ブロードキャストサービスを提供する移動通信システムにおけるブロードキャストパラメータメッセージを提供する方法は、上記提供されるブロードキャストサービスが一つのサブバッファ内で時分割多重化される場合、上記時分割多重化を示すフィールドを設定し、上記サブバッファに上記ブロードキャストサービスの位置を示すフィールドを設定し、上記サブバッファが一つのサービスを構成するか否かを示すフィールドと上記フィールドの有効性を示すフィールドとを設定し、上記サブバッファに格納されている実際のブロードキャストサービスデータのみを示すフィールドを設定することによって、上記ブロードキャストパラメータメッセージを生成するステップと、上記ブロードキャストパラメータメッセージを変調するステップと、上記変調されたブロードキャストパラメータメッセージを上記ブロードキャストサービスを受信する端末へ提供するステップとを具備することを特徴とする。
【００３４】
本発明の第２の特徴によると、ブロードキャストサービスを提供する移動通信システムにおけるブロードキャストパラメータメッセージを提供する装置は、上記提供されるブロードキャストサービスが時分割多重化される場合、上記時分割多重化を示すフィールドを設定し、少なくとも１つのサブバッファに上記ブロードキャストサービスの位置を示すフィールドを設定し、上記少なくとも１つのサブバッファが一つのサービスを構成するか否かを示すフィールドと上記フィールドの有効性を示すフィールドとを設定し、上記少なくとも１つのサブバッファに格納されている実際のブロードキャストサービスデータのみを示すフィールドを設定することによって、上記ブロードキャストパラメータメッセージを生成するメッセージ生成部と、上記ブロードキャストパラメータメッセージを変調し、上記変調されたブロードキャストパラメータメッセージを上記ブロードキャストサービスを受信する端末へ提供する送信器とを具備することを特徴とする。
【００３５】
本発明の第３の特徴によると、移動通信システムで提供されるブロードキャストサービスを受信する方法は、上記提供されるブロードキャストサービスが一つのサブバッファ内で時分割多重化されるか否かを示すフィールドと、上記サブバッファで上記ブロードキャストサービスの位置を示すフィールドと、上記サブバッファが一つのサービスを構成するか否かを示すフィールドと、上記フィールドの有効性を示すフィールドと、上記サブバッファに格納されている実際のブロードキャストサービスデータのみを示すフィールドを受信することによって、所望のブロードキャストサービスの位置を決定するステップと、上記決定された位置でブロードキャストサービスを受信するステップとを具備することを特徴とする。
【００３６】
本発明の第４の特徴によると、移動通信システムで提供されるブロードキャストサービスを受信する装置は、上記ブロードキャストサービス及び所望のブロードキャストサービスの位置を示すパラメータを受信する無線部と、上記ブロードキャストサービス及び上記パラメータを復調する復調部と、上記提供されるブロードキャストサービスが一つのサブバッファ内で時分割多重化されるか否かを示すフィールドと、上記サブバッファで上記ブロードキャストサービスの位置を示すフィールドと、上記サブバッファが一つのサービスを構成するか否かを示すフィールドと、上記フィールドの有効性を示すフィールドと、上記サブバッファに格納されている実際のブロードキャストサービスデータのみを示すフィールドとを構成する上記パラメータを用いて受信されるブロードキャストサービスを選択する制御部とを具備することを特徴とする。
【発明の効果】
【００３７】
本発明の実施形態は、ＣＤＭＡ２０００ １ｘ Ｒｅｖ．Ｄ標準を使用する受信装置は、必要とされるフレームのみを受信して復号することによって、不必要な電力消費を防止することができる。また、本発明の実施形態による新たなメッセージは、前のメッセージと完全に互換可能であり、ブロードキャストパラメータメッセージの転送時間を短縮することができるという長所を有する。
【発明を実施するための最良の形態】
【００３８】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００３９】
まず、本発明の実施形態は、一つのサブバッファに一つのブロードキャストサービスのフレームのみを格納する方法を考慮する。このように、一つのサブバッファに一つのブロードキャストサービスのフレームのみを格納する方法について説明する。
【００４０】
図５は、サブバッファごとに一つのブロードキャストサービスのフレームを格納する方法を示す図である。上述したように、図５では、４個のサブバッファがあると仮定する。図５において、文字Ａ、Ｂ、Ｃ及びＤは、相互に異なるブロードキャストサービスを示すとしても、これらが必ず相互に異なるブロードキャストサービスでなければならないことを示すものではない。例えば、Ａ及びＢが１つのブロードキャストサービスを構成するフレームであってもよい。従って、図５は、分離可能な最大サービスの種類を示す。図５のような方式でブロードキャストサービス別フレームを格納する場合、受容可能な最大サービスの個数が４つであっても、上記サービスは、相互に異なる方法で転送することができる。
【００４１】
図６Ａ乃至図６Ｆは、一つのバッファに同一のブロードキャストサービスのみを格納してＴＤＭ方式で転送可能なブロードキャストサービスのタイプを示す図である。
【００４２】
図６Ａ乃至図６Ｆ及び下記<表４>を参照して、ＴＤＭ方式で転送可能なブロードキャストサービスのタイプについて説明する。下記＜表４＞は、各タイプ別に転送可能な最大サービスの個数を示す。
【００４３】
【表４】
2008529441.tif 000006
【００４４】
上記＜表４＞において、タイプ（Ｉ）、（ＩＩ）及び（ＩＩＩ）は、総２０ｍｓのＴＤＭスロット長を有し、４個、８個、及び１６個のスロットをそれぞれ有する。この場合、転送可能な最大サービスの個数は、図６Ａに示すように、４個（Ａ、Ｂ、Ｃ、及びＤ）である。そして、タイプ（ＩＶ）及び（Ｖ）は、総４０ｍｓのＴＤＭスロット長を有し、４個及び８個のスロットをそれぞれ有する。この場合、転送可能な最大サービスの個数は、図６Ｂに示すように、２個（Ａ及びＢ）である。タイプ（ＶＩ）は、４０ｍｓのＴＤＭスロット長を有し、１６個のスロットを有する。この場合、転送可能な最大サービスの個数は、図６Ｃに示すように、４個（Ａ、Ｂ、Ｃ、及びＤ）である。このような方式で＜表４＞を要約すると、タイプ（ＶＩＩ）は、１つのサービスを提供することができ、タイプ（ＩＶ）、（Ｖ）及び（ＶＩＩＩ）は、２つのサービスまで提供することができ、タイプ（Ｉ）、（ＩＩ）、（ＩＩＩ）、（ＶＩ）、及び（ＩＸ）は、４つのサービスまで提供することができる。従って、図６Ａ乃至図６Ｆ及び上記＜表４＞から下記のような結果を得ることができる。
【００４５】
１．タイプ（Ｉ）、（ＩＩ）及び（ＩＩＩ）のすべては、同一の時分割多重方式を示す。この場合、タイプ（Ｉ）が最も少ないメッセージビットの数を要求するので、これらは、タイプ（Ｉ）で示される。ここで使用される“メッセージ”は、受信側である端末がブロードキャストサービスを使用することができるように、基地局から端末へ転送される上記＜表１＞のようなパラメータ情報が含まれた“ブロードキャストサービスパラメータメッセージ（Broadcast Service Parameter Message：ＢＳＰＭ）を意味する。
２．タイプ（ＩＶ）及び（Ｖ）は、タイプ（Ｉ）によって表現することができるので、これらは、タイプ（Ｉ）で示される。
３．タイプ（ＶＩ）は、唯一である。
４．タイプ（ＶＩＩ）は、４個のバッファを用いて１つのサービスのみを提供することができる。
５．タイプ（ＶＩＩＩ）は、タイプ（ＶＩ）によって表現することができるので、タイプ（ＶＩ）で示される。
６．タイプ（ＩＸ）は、唯一である。
【００４６】
従って、上記＜表１＞及び＜表２＞に示した既存のブロードキャストサービスパラメータメッセージの方式下で、効率のよいＴＤＭ転送方式は、タイプ（Ｉ）、（ＶＩ）及び（ＩＸ）のみで十分に表現することができる。また、各サービスが均一に混合されている場合、最も短い初期転送遅延時間を保証するという特性を考慮すると、タイプ（Ｉ）が最も優れ、タイプ（Ｉ）が残りの８つの方式を代表することができる。しかしながら、タイプ（Ｉ）がサポートする最大サービスの個数は、４つに制限されているので、効率のよいＴＤＭ転送方式を考慮しない場合に転送可能な６４個には及ばない。しかしながら、外復号という観点でＴＤＭ方式を考慮すると、上述した転送方式が非常に効率的であることが分かる。
【００４７】
従って、本発明の第１の実施形態は、図５に示すＴＤＭ転送方式を維持しつつ、ＲＳ符号を用いて転送されるブロードキャストデータを效率よく受信し、今後に大幅に増加されるものと予想されるブロードキャストチャンネルの個数を受容することができるように、上記ブロードキャストサービスパラメータメッセージを変更したブロードキャストデータを転送する方法及び装置を提案する。このために、本発明は、ブロードキャストサービス別フレームを指定する上記＜表１＞のＴＤＭマスク（ＴＤＭ_ＭＡＳＫ）を各サブバッファを指定するようにした後に、他のブロードキャストサービスのフレームを格納することなく、各サブバッファでは、１つのブロードキャストサービスのフレームのみを格納するようにして、従来のように受信側で発生する不必要な復号化過程を防止する。
【００４８】
下記＜表５＞は、本発明の第１の実施形態で提案した上記ブロードキャストサービスパラメータメッセージのフォーマットを示す。上記ブロードキャストサービスパラメータメッセージは、下記のような原則に従う。
【００４９】
１．外符号が使用されない場合、より柔軟なＴＤＭ方式をサポートするために、外符号が使用される場合のシグナリング方式は、外符号が使用されない場合のシグナリング方式と異ならなければならない。
２．外符号が使用される場合、各サブバッファ内に１つのサービスが存在しなければならない。このために、上記ブロードキャストサービスパラメータメッセージは、フレーム単位のマスクでないサブバッファ単位のマスクを有しなければならない。
【００５０】
【表５】
2008529441.tif 000007
【００５１】
上記＜表５＞における割当ビット（Number of Bits）は、上記＜表１＞のそれと同一なので、従来のブロードキャストサービスパラメータメッセージとの互換性を維持し、上記＜表１＞の従来のブロードキャストサービスパラメータメッセージのフィールドに比べて、新たなブロードキャストサービスパラメータメッセージのすべてのフィールドは、サブバッファの単位で変更され、それらの基本内容は、同一に維持される。従って、上記ブロードキャストサービスを実際に受信している受信側は、外符号が使用されるか否かに従って、上記ブロードキャストサービスを２つの相互に異なるタイプのフィールドのうちのいずれか１つで解析することができる。
【００５２】
図７は、本発明の第１の実施形態によるサブバッファに基づいてＴＤＭ方式のブロードキャストサービスを提供する方法を説明するためのタイミング図である。このような方法は、上記サブバッファ単位のブロードキャストフレーム送受信方式を除いては、図１の既存のＣＤＭＡ２０００ １ｘ Ｒｅｖ．Ｄ標準に従う。
【００５３】
ＴＤＭ方式を使用する図７において、上記＜表５＞に示したＴＤＭサブバッファ長ＴＤＭ_ＳＵＢ_ＢＬＯＣＫ_ＬＥＮＧＴＨ７１０は、２ビットの値を有し、図７に示すように、１つのＴＤＭサブバッファ周期ＴＤＭ_ＳＵＢ_ＢＬＯＣＫ_ＰＥＲＩＯＤ７００に含まれている時間の長さを示す。そして、上記＜表５＞のＴＤＭサブバッファ周期ＴＤＭ_ＳＵＢ_ＢＬＯＣＫ_ＰＥＲＩＯＤ７００は、ＴＤＭが使用される場合に２ビットの値を有する。また、ＴＤＭサブバッファマスクＴＤＭ_ＳＵＢ_ＢＬＯＣＫ_ＭＡＳＫ７２０は、４ビット、８ビット、または１６ビットの値を有し、ＴＤＭ周期で、ユーザが要求したブロードキャストサービスがどんなサブバッファ（７１１、７１２、７１３、又は７１４）に含まれているかを示す。最後に、スーパーフレーム周期マスクＴＤＭ_ＳＵＢ_ＢＬＯＣＫ_ＳＵＰＥＲ_ＰＥＲＩＯＤ_ＭＡＳＫ７３０は、ＴＤＭが使用されるか否かに従って、０ビットの値または４ビットの値を有する。
【００５４】
図７において、４ビットを有するＴＤＭサブバッファマスクは、参照符号７２０で示される。スーパーフレーム周期を使用する場合、上記スーパーフレーム周期マスク値は、参照符号７３０で示されるように、場合に従って、４ビットの値に設定することができる。
【００５５】
上述したように、図７は、サブバッファ７１１、７１２、７１３、及び７１４に基づくＴＤＭを示す。すなわち、受信側は、上記＜表５＞のブロードキャストサービスパラメータメッセージを受信して、受信フレームがどんなサブバッファに属しているかを計算した後、該当サブバッファに属しているフレームのみを受信する。ここで、ｉ番目の受信フレームが属しているサブバッファインデックスｓｕｂ_ｂｌｏｃｋ_ｉｎｄｅｘは、下記式（１）のように定義される。
【００５６】
【数１】
2008529441.tif 000008
【００５７】
上記式（１）において、ＣＤＭＡ２０００システム時間が０である位置で、２０＊ＦＳＣＨ_ＯＵＴＥＲ_ＣＯＤＥ_ＯＦＦＳＥＴｓ［ｉ］ｍｓ後の時間でのｉの値は、０である。また、‘ｍｏｄ’は、モジューロ演算を示し、ｉ／６４のモジューロ演算は、その値を超過しない最大整数値を意味する。式（１）に従うと、１つのサブバッファが１つのビットに一対一にマッピングされるサブバッファマスクの配列に対して、上記サブバッファマスク配列のｓｕｂ_ｂｌｏｃｋ_ｉｎｄｅｘ番目の値が‘１’である場合には、ｉ番目の転送フレームが受信されることを意味し、上記サブバッファマスク配列のｓｕｂ_ｂｌｏｃｋ_ｉｎｄｅｘ番目の値が‘０’である場合には、ｉ番目の転送フレームが受信されないことを意味し、これによって、ＴＤＭ受信を可能にする。
【００５８】
ｉ及びｓｕｂ_ｂｌｏｃｋ_ｉｎｄｅｘの値は、すべて０から始める。例えば、図７において、サービスＡのサブバッファマスク配列は、１，０，１，０，０，０，０，０，１，０，１，０，１，０，１，０で示される。従って、式（１）に従って計算すると、４５６番目の受信フレームのサブバッファインデックスの値は、１２であり、これに該当するサブバッファマスク値は、１（すなわち、１，０，１，０，０，０，０，０，１，０，１，０，“１”，０，１，０）であるので、該当フレームが受信されなければならないフレームであることを意味する。
【００５９】
上記サブブロック単位のＴＤＭを適用するか否かを表面的に示す必要がある場合、上記＜表２＞の使用されないビット（Reserved bit）を使用して、下記＜表６＞及び＜表７＞ の方法でブロードキャストサービスパラメータメッセージを生成することができる。外符号が使用される際にサブバッファ単位のＴＤＭが無条件に適用される場合に、このような動作は、必要とされない。
【００６０】
【表６】
2008529441.tif 000009
【００６１】
【表７】
2008529441.tif 000010
【００６２】
上記＜表６＞及び＜表７＞によって、従来のＴＤＭ方式と完全に互換可能なサブバッファ単位のＴＤＭ方式をサポートすることができる。上記＜表５＞に比べて、上記＜表６＞は、上記＜表５＞に存在するＴＤＭ_ＳＵＢ_ＢＬＯＣＫ_ＬＥＮＧＴＨフィールドを含まないので、その単位が常にサブバッファ単位であることを意味する。このような方式によってサポートされる最大サービスの個数は、１６×４＝６４個であり、従来の方式と同一であることが分かる。
【００６３】
次いで、本発明の第２の実施形態について説明する。本発明の第２の実施形態は、一つのブロードキャストサービスのデータが一つのサブバッファを完全に満たすことができない場合、すなわち、一つのサブバッファが２以上のブロードキャストサービスのデータで満たされる場合を考慮する。これは、従来技術及び本発明の第１の実施形態をすべて含むことができる場合である。
【００６４】
本発明の第１の実施形態は、各サブバッファが一つのＴＤＭの単位でなされる場合を考慮した。従って、ＴＤＭ_ＳＵＢ_ＢＬＯＣＫ_ＭＡＳＫの長さが１６である場合、１６×４＝６４だけのＴＤＭが可能である。このような理由のために、多くの数のチャンネルが必要とされる場合、本発明の第２の実施形態は、チャンネルの数を効率的に増加させることができる。
【００６５】
図８は、本発明の第２の実施形態による一つのサブバッファを複数のサービスチャンネルで満たす方法を示す図である。一つのサブバッファが単一のサービスチャンネルで満たされる本発明の第１の実施形態に比べて、図８に示す本発明の第２の実施形態は、一つのサブバッファを複数のサービスフレームで満たす。
【００６６】
本発明の第２の実施形態は、図８の右側に示すように、ＴＤＭ_ＳＵＢ_ＢＬＯＣＫ_ＩＮＮＥＲ_ＭＡＳＫフィールドに各サービスの位置を配列することによって、各サービスのタイプを区別できるようにする。本発明の第２の実施形態によるブロードキャストサービスパラメータメッセージを＜表８＞のように 図示することができる。図８を参照して、本発明の第２の実施形態によるブロードキャストサービスパラメータメッセージについて説明する。
【００６７】
【表８】
2008529441.tif 000011
【００６８】
上記＜表８＞に示すブロードキャストサービスパラメータメッセージがサブブロックの単位でブロードキャストサービスデータのＴＤＭ転送を行わない場合、上記メッセージフィールドが必要とされないので、上記＜表８＞のすべてのフィールドのサイズは、０となることができる。そうでない場合、各フィールドは、次のような意味を有する。
【００６９】
一番目に、ＴＤＭ_ＳＵＢ_ＢＬＯＣＫ_ＰＥＲＩＯＤフィールド＝‘００’は、ＴＤＭサブブロックの周期が４であることを示す。この場合、ＴＤＭ_ＳＵＢ_ＢＬＯＣＫ_ＭＡＳＫフィールドは、４ビットの長さを有する。二番目に、ＴＤＭ_ＳＵＢ_ＢＬＯＣＫ_ＰＥＲＩＯＤフィールド＝‘０１’は、ＴＤＭサブブロックの周期が８であることを示す。この場合、ＴＤＭ_ＳＵＢ_ＢＬＯＣＫ_ＭＡＳＫフィールドは、８ビットの長さを有する。三番目に、ＴＤＭ_ＳＵＢ_ＢＬＯＣＫ_ＰＥＲＩＯＤフィールド＝‘１０’は、ＴＤＭサブブロックの周期が１６であることを示す。この場合、ＴＤＭ_ＳＵＢ_ＢＬＯＣＫ_ＭＡＳＫフィールドは、１６ビットの長さを有する。最後に、ＴＤＭ_ＳＵＢ_ＢＬＯＣＫ_ＰＥＲＩＯＤフィールド＝‘１１’の場合に、上述したように、該当フィールドは、使用されない(Reserved)。
【００７０】
ＴＤＭ_ＳＵＢ_ＢＬＯＣＫ_ＭＡＳＫフィールドは、サービスのために割り当てられたサブブロックの位置を示す。従って、ＴＤＭ_ＳＵＢ_ＢＬＯＣＫ_ＭＡＳＫフィールド＝‘１’は、所望のブロードキャストサービスのサブブロックを示し、ＴＤＭ_ＳＵＢ_ＢＬＯＣＫ_ＭＡＳＫフィールド＝‘０’は、好ましくないブロードキャストサービスのサブブロックを示す。
【００７１】
そして、ＴＤＭ_ＳＵＢ_ＢＬＯＣＫ_ＳＵＰＥＲ_ＰＥＲＩＯＤ_ＭＡＳＫフィールドは、４ビットの単位で、ＴＤＭ_ＳＵＢ_ＢＬＯＣＫ_ＭＡＳＫフィールドを有効化するか又は無効化することができる。ＴＤＭ_ＳＵＢ_ＢＬＯＣＫ_ＳＵＰＥＲ_ＰＥＲＩＯＤ_ＭＡＳＫフィールド＝‘０’は、該当する順序のＴＤＭ_ＳＵＢ_ＢＬＯＣＫ_ＰＥＲＩＯＤ長さ区間の間にサービスされるサブブロックがないことを示す。一方、ＴＤＭ_ＳＵＢ_ＢＬＯＣＫ_ＳＵＰＥＲ_ＰＥＲＩＯＤ_ＭＡＳＫフィールド＝‘１’は、該当する順序のＴＤＭ_ＳＵＢ_ＢＬＯＣＫ_ＰＥＲＩＯＤ長さ区間の間にサービスされるサブブロックが存在し、そのサブブロックがＴＤＭ_ＳＵＢ_ＢＬＯＣＫ_ＭＡＳＫフィールドの規則に従うことを示す。
【００７２】
ＴＤＭ_ＳＵＢ_ＢＬＯＣＫ_ＩＮＮＥＲ_ＭＡＳＫ_ＩＮＣＬフィールドは、本発明の第１の実施形態及び従来の技術をすべて含むために提供される。ＴＤＭ_ＳＵＢ_ＢＬＯＣＫ_ＩＮＮＥＲ_ＭＡＳＫ_ＩＮＣＬフィールド＝‘０’は、一つのサブバッファが一つのサービスで満たされることを示す。従って、この場合、下記に説明するＴＤＭ_ＳＵＢ_ＢＬＯＣＫ_ＩＮＮＥＲ_ＭＡＳＫフィールドの長さは、０となる。一方、ＴＤＭ_ＳＵＢ_ＢＬＯＣＫ_ＩＮＮＥＲ_ＭＡＳＫ_ＩＮＣＬフィールド＝‘１’は、下記に説明するＴＤＭ_ＳＵＢ_ＢＬＯＣＫ_ＩＮＮＥＲ_ＭＡＳＫフィールドの形態で、１つのサブバッファが１以上のサービスで満たされることを示す。
【００７３】
最後に、上述したように、ＴＤＭ_ＳＵＢ_ＢＬＯＣＫ_ＩＮＮＥＲ_ＭＡＳＫフィールドは、ＴＤＭ_ＳＵＢ_ＢＬＯＣＫ_ＩＮＮＥＲ_ＭＡＳＫ_ＩＮＣＬフィールドの値が‘１’に設定されて、一つのサブバッファを２以上のブロードキャストサービスで満たす場合に含まれる。ＴＤＭ_ＳＵＢ_ＢＬＯＣＫ_ＩＮＮＥＲ_ＭＡＳＫフィールドは、一つのサービスに割り当てられたすべてのサブブロックでのサービス位置を示す。このとき、転送ビットの数を減少させるために、本発明は、サブブロック内の位置を示す各マスク値を設定する過程で、パリティ領域を除いたシステマティック（systematic）領域のみに対して、ＴＤＭ_ＳＵＢ_ＢＬＯＣＫ_ＩＮＮＥＲ_ＭＡＳＫフィールドを設定する。従って、ＴＤＭ_ＳＵＢ_ＢＬＯＣＫ_ＩＮＮＥＲ_ＭＡＳＫフィールドのマスクの長さは、該当ＲＳ符号の標準に従って、ＲＳ符号のシステマティックシンボルの長さに従うので、１１、１２、１３、及び１４のうちの１つに設定される。従って、一つのサブバッファに位置したｉ番目の受信フレームを示すｉｎｎｅｒ_ｉｎｄｅｘは、下記式（２）のように計算することができる。
【００７４】
【数２】
2008529441.tif 000012
【００７５】
上記式（２）において、ｉに対する条件は、上記式（１）に与えられたものと同一である。従って、受信器は、ｉｎｎｅｒ_ｉｎｄｅｘ及び次の条件に従って、自身の属しているサービスの位置を確認することができる。
【００７６】
条件１：受信器は、ｉｎｎｅｒ_ｉｎｄｅｘ値が０と（ｋ−１）との間の値を有する場合、該当マスク値が‘１’であるか否かに従って、サービスの位置を確認することができる。
条件２：ｋ番目から（Ｎ−１）番目までのデータは、パリティ領域に該当する。従って、ＲＳ符号を使用する場合、受信器は、上記データをすべて受信しなければならない。
【００７７】
上記＜表８＞を参照して説明したように、一つのサブバッファに格納されている２以上のブロードキャストフレームは、ＴＤＭ_ＩＮＮＥＲ_ＳＵＢ_ＢＬＯＣＫ_ＭＡＳＫフィールドの値に従って区別することができる。従って、ＴＤＭ_ＩＮＮＥＲ_ＳＵＢ_ＢＬＯＣＫ_ＭＡＳＫフィールドの長さは、ＲＳ符号のシステマティック部分の長さであるｋと同一である。上述したように、上記ブロードキャストサービス標準において、Ｎは、１６であり、ｋは、１１、１２、１３、及び１４のうちの１つを有する。従って、上記ｋの値が決定されると、受信器は、その値を示すＴＤＭ_ＩＮＮＥＲ_ＳＵＢ_ＢＬＯＣＫ_ＭＡＳＫフィールドを生成して転送しないとしても、これを受信するか否かを確認することができる。
【００７８】
図８に戻って説明すると、一つのサブバッファ（ｓｕｂ_ｂｕｆｆｅｒ）８００は、ｋ個のブロードキャストサービスフレーム８０１及び（Ｎ−ｋ）個のパリティフレーム８０２を含む。図８では、２以上のブロードキャストサービス、例えば、６つのブロードキャストサービスが一つのサブバッファ８００に格納されていると仮定する。図８の右側には、各サービスに対応するＴＤＭ_ＳＵＢ_ＢＬＯＣＫ_ＩＮＮＥＲ_ＭＡＳＫフィールド８１１，８１２，…，８１６を示し、図８の最右側には、ｉｎｎｅｒ_ｉｎｄｅｘを示す。
【００７９】
図８及び＜表８＞を参照して、本発明の第２の実施形態による利得について説明する。図８に示すように、すべてのサブバッファがＴＤＭ_ＳＵＢ_ＢＬＯＣＫ_ＩＮＮＥＲ_ＭＡＳＫフィールドを有する場合、１つのサブバッファが単一のサービスで満たされる本発明の第１の実施形態に比べて、本発明の第２の実施形態は、上記＜表８＞のメッセージを生成する際に、ｋ個のビットを転送する必要がないので、上記ブロードキャストサービスパラメータメッセージのサイズを低減させることができる。また、本発明の第１の実施形態に従って、一つのサブバッファが一つのブロードキャストサービスのみで満たされる場合に、本発明の第２の実施形態は、上記＜表８＞のＴＤＭ_ＳＵＢ_ＢＬＯＣＫ_ＩＮＮＥＲ_ＭＡＳＫ_ＩＮＣＬフィールドを‘０’に設定することによって、ＴＤＭ_ＳＵＢ_ＢＬＯＣＫ_ＩＮＮＥＲ_ＭＡＳＫフィールドの不必要な転送を防止することができる。
【００８０】
以下、本発明の他の実施形態に従って、送信装置、例えば、基地局の送信段の構成について説明する。
【００８１】
図１０は、本発明の実施形態による移動通信システムにおけるＲＳ符号を使用してブロードキャストデータを送信する装置の構成を示すブロック図である。一方、本発明の第１の実施形態及び第２の実施形態がブロードキャストサービスパラメータメッセージを、例えば、送信段である基地局を通して生成するように実現されるとしても、上記ブロードキャストサービスパラメータメッセージは、ブロードキャストサーバのような別途の装置を用いて生成されることもできる。
【００８２】
図１０の送信装置は、端末に対するブロードキャストサービスを提供する必要がある場合、上記ブロードキャストサービスパラメータメッセージを生成して上記端末へ転送し、ブロードキャストサービス別ブロードキャストデータを図７又は図８のような方法で無線網へ転送する。
【００８３】
図１０を説明するにあたって、まず、本発明の第１の実施形態について説明し、本発明の第２の実施形態について付加的に説明する。
【００８４】
まず、ブロードキャストデータの転送のために、メッセージ生成部１０６０は、ＴＤＭ転送のために、図７に示すようなスーパーフレーム周期マスクＴＤＭ_ＳＵＢ_ＢＬＯＣＫ_ＳＵＰＥＲ_ＰＥＲＩＯＤ_ＭＡＳＫ及びＴＤＭサブブロック長ＴＤＭ_ＳＵＢ_ＢＬＯＣＫ_ＬＥＮＧＴＨに関する情報ビットを含み、ＴＤＭ周期内で、ユーザが要求したブロードキャストサービスのフレームがどんなサブバッファに含まれているかを示すＴＤＭサブブロックマスクＴＤＭ_ＳＵＢ_ＢＬＯＣＫ_ＭＡＳＫも含む上記 ＜表５＞のブロードキャストパラメータメッセージを生成して変調部１０４０へ出力する。変調部１０４０は、メッセージ生成部１０６０から出力されたブロードキャストパラメータメッセージを変調し、上記変調されたメッセージを無線（Radio Frequency：ＲＦ）部１０５０へ出力する。ＲＦ部１０５０は、上記変調されたメッセージをアンテナＡＮＴを介して無線網へ転送する。上記ブロードキャストパラメータメッセージを受信する端末の動作については、後述する。
【００８５】
一方、上記ブロードキャストパラメータメッセージの転送が完了した後、サイクリック・リダンダンシー・チェック（Cyclic Redundancy Check:ＣＲＣ）挿入部１０１０は、エラーチェックのためのＣＲＣビットをブロードキャストデータに挿入し、ＣＲＣ挿入されたブロードキャストデータを外符号化部１０２０へ出力する。外符号化部１０２０は、サブバッファ単位のＴＤＭ転送が行われることができるように、入力されたブロードキャストデータに対するＲＳ符号化を遂行した後、ＲＳ符号化されたブロードキャストデータをチャンネル符号化部１０３０へ出力する。チャンネル符号化部１０３０は、入力信号に対して畳込み符号化（Convolutional Coding）のようなチャンネル符号化を遂行し、上記チャンネル符号化された信号を変調部１０４０へ出力する。変調部１０４０は、上記チャンネル符号化された信号を変調し、上記変調された信号をＲＦ部１０５０及びアンテナＡＮＴを介して無線網へ転送する。変調部１０４０は、よく知らされている変調方式のうちの１つを使用することができる。図１０において、参照符号Ｍ１は、ブロードキャストパラメータメッセージ転送装置を示す。
【００８６】
本発明の第２の実施形態において、メッセージ生成部１０６０は、上記＜表８＞に示したメッセージを生成し、上記メッセージを変調部１０４０へ出力する。変調部１０４０は、上記メッセージを予め定められた変調方式で変調し、上記変調されたメッセージをＲＦ部１０５０へ出力する。ＲＦ部１０５０は、上記変調されたメッセージをＲＦ信号へアップコンバート（up-convert）した後、上記ＲＦ信号を端末へ転送する。
【００８７】
図９を参照して、本発明の他の実施形態による受信装置、例えば、端末の受信段の構成について説明する。同様に、図９を説明するにあたっても、まず、本発明の第１の実施形態について説明した後、本発明の第２の実施形態について説明する。
【００８８】
図９は、本発明の実施形態による移動通信システムにおけるＲＳ符号を使用してブロードキャストデータを受信する装置の構成を示すブロック図である。
【００８９】
図９の受信装置は、ユーザのブロードキャストサービス要求に応じて、アンテナＡＮＴとフィルター（filter）及び前処理器（front-end-unit）を含むＲＦ部９１０とを介して基地局から上記 ＜表５＞のブロードキャストパラメータメッセージを受信し、上記受信されたブロードキャストパラメータメッセージを選択部９２０を介して復調部９４０へ伝達する。この際、上記ブロードキャストデータとは異なり、上記ブロードキャストパラメータメッセージは、制御チャンネルを介して転送される。制御部９３０は、基地局が転送したブロードキャストパラメータメッセージが存在するか否かを認識する。メッセージ処理部９５０は、上記受信されたブロードキャストパラメータメッセージを解析し、上記解析の結果を制御部９３０へ出力する。上記解析の結果に基づいて、制御部９３０は、上記ブロードキャストサービスのタイプを識別し、該当サービスのフレームが格納されているサブバッファを指定し、他のブロードキャストサービスのフレームが受信されないように、上記サブバッファマスクの配列をマッピングする。
【００９０】
この後、基地局から受信されたブロードキャストデータのフレームがアンテナＡＮＴ及びＲＦ部９１０を介して選択部９２０に印加されると、制御部９３０は、上記式（１）あるいは式（１）及び式（２）を用いて、上記受信されたフレームが属しているサブバッファインデックスを計算し、上記計算されたサブバッファインデックスを選択部９２０へ伝達する。選択部９２０は、上記サブバッファインデックス及び上記マッピングされたサブバッファマスクを用いて、ユーザが選択したブロードキャストサービスのフレームのみを通過（選択）させ、他のフレームは、受信しない。
【００９１】
一方、復調部９４０は、選択部９２０を通過したブロードキャストフレームを復調し、上記復調されたデータをチャンネル復号化部９６０へ出力する。チャンネル復号化部９６０は、入力信号に対して、畳込み復号化のようなチャンネル復号化を遂行し、上記チャンネル復号化された信号を外復号化部（outer decoder）９７０へ出力する。外復号化部９７０は、上記チャンネル復号化された信号に対するデインターリービング（deinterleaving）及びＲＳ復号化を遂行し、上記外復号化された信号をＣＲＣ検査部９８０へ出力する。ＣＲＣ検査部９８０は、上記外復号化された信号に対するＣＲＣ検査を遂行して、フレームデータにエラーがあるか否かを判断し、上記ブロードキャストデータを出力する。図７に示したサブバッファは、外復号化部９７０に含まれるか、または、別途の外部メモリで実現することができる。
【００９２】
本発明の第２の実施形態において、制御部９３０は、上記 ＜表８＞に示したブロードキャストサービスパラメータメッセージをメッセージ処理部９５０から受信する。制御部９３０は、上述したような方法で受信するフレームを判定し、その結果に従って、上記ブロードキャストサービスフレームを受信するか否かを判定する。上記判定の結果に基づいて、制御部９３０は、選択部９２０が現在のフレームを受信するか否かを選択するようにできる。上記現在のフレームが所望のブロードキャストサービスに該当する場合、制御部９３０は、選択部９２０が自身の出力を復調部９４０へ出力するようにする。しかしながら、上記現在のフレームが所望のブロードキャストサービスに該当しない場合、制御部９３０は、選択部９２０がＲＦ部９１０から受信されたフレームを遮断するようにする。
【００９３】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００９４】
【図１】ＣＤＭＡ２０００ １ｘ Ｒｅｖ．Ｄ標準に従って、ＴＤＭ方式でブロードキャストサービスを提供する方法を説明するためのタイミング図である。
【図２】ＣＤＭＡ２０００ １ｘ Ｒｅｖ．Ｄ標準に従って、外符号でブロードキャストサービスデータのＲＳ符号化を遂行する方法を説明するための図である。
【図３】６つのブロードキャストサービスデータがＴＤＭ及びＲＳ符号化方式により転送される場合のブロードキャストサービスデータ転送のタイミング図である。
【図４】図２を参照して説明した方法でブロードキャストサービスを提供する場合の各サブバッファに転送データを格納する方法を示す図である。
【図５】サブバッファごとに一つのブロードキャストサービスのフレームを格納する方法を示す図である。
【図６Ａ】一つのバッファに同一のブロードキャストサービスのみを格納してＴＤＭ方式で転送可能なブロードキャストサービスのタイプを示す図である。
【図６Ｂ】一つのバッファに同一のブロードキャストサービスのみを格納してＴＤＭ方式で転送可能なブロードキャストサービスのタイプを示す図である。
【図６Ｃ】一つのバッファに同一のブロードキャストサービスのみを格納してＴＤＭ方式で転送可能なブロードキャストサービスのタイプを示す図である。
【図６Ｄ】一つのバッファに同一のブロードキャストサービスのみを格納してＴＤＭ方式で転送可能なブロードキャストサービスのタイプを示す図である。
【図６Ｅ】一つのバッファに同一のブロードキャストサービスのみを格納してＴＤＭ方式で転送可能なブロードキャストサービスのタイプを示す図である。
【図６Ｆ】一つのバッファに同一のブロードキャストサービスのみを格納してＴＤＭ方式で転送可能なブロードキャストサービスのタイプを示す図である。
【図７】本発明の第１の実施形態によるサブバッファに基づいてＴＤＭ方式のブロードキャストサービスを提供する方法を説明するためのタイミング図である。
【図８】本発明の第２の実施形態による一つのサブバッファを複数のサービスチャンネルで満たす方法を示す図である。
【図９】本発明の実施形態による移動通信システムにおけるＲＳ符号を使用してブロードキャストデータを受信する装置の構成を示すブロック図である。
【図１０】本発明の実施形態による移動通信システムにおけるＲＳ符号を使用してブロードキャストデータを送信する装置の構成を示すブロック図である。
【符号の説明】
【００９５】
９１０  ＲＦ部
９２０  選択部
９３０  制御部
９４０  復調部
９５０  メッセージ処理部
９６０  チャンネル復号化部
９７０  外復号化部
９８０  ＣＲＣ検査部
【図１】
2008529441.tif 000016
【図２】
2008529441.tif 000017
【図３】
2008529441.tif 000018
【図４】
2008529441.tif 000019
【図５】
2008529441.tif 000020
【図６Ａ】
2008529441.tif 000021
【図６Ｂ】
2008529441.tif 000022
【図６Ｃ】
2008529441.tif 000023
【図６Ｄ】
2008529441.tif 000024
【図６Ｅ】
2008529441.tif 000025
【図６Ｆ】
2008529441.tif 000026
【図７】
2008529441.tif 000027
【図８】
2008529441.tif 000028
【図９】
2008529441.tif 000029
【図１０】
2008529441.tif 000030
【国際調査報告】
2008529441.tif 000031
2008529441.tif 000032